(57)【要約】【課題】被施術者の上半身を映すために鏡の角度を簡易に調整でき、鏡のみを持ち運びでき被施術者への頭髪のカットやセッティングの処理の後の被施術者の頭髪の状態を後ろから映し出し簡易に確認できる理美容院用卓上鏡を提供する。【解決手段】基板１に立設する支持板２の先端部に係止棒３を設け、鏡４が取り付けられる鏡取付板４ａの裏面に設けられＬ形断面形状を成すブラケット５に取り付けられるマグネット６が前記支持板２に設けられる係止棒３に磁力によって吸着されて係止されるように構成する。【選択図】          図１
0003180090.tif 000002
【実用新案登録請求の範囲】
【請求項１】
基板１と、該基板１に立設する支持板２と、該支持板２の先端部に設けられる係止棒３と、鏡取付板４ａに取り付けられる鏡４と、前記鏡取付板４ａの裏面に設けられるＬ形断面形状をなすブラケット５と、該ブラケット５の鏡取付板４ａ側に設けられるマグネット６とから構成し、前記ブラケット５に取り付けられている前記マグネット６が前記支持板２に設けられる係止棒３に磁力によって吸着されて係止されることを特徴とする理美容用卓上鏡。
【請求項２】
前記基板１の上面にフェルトやゴム等による滑り止めが施されていることを特徴とする理美容用卓上鏡。
【考案の詳細な説明】
【技術分野】
【０００１】
本考案は、理美容院等で使用する多目的な卓上鏡に関する。
【背景技術】
【０００２】
理美容院において使用する理美容院用鏡は、一般には椅子等に着座した被施術者の前面に上半身を映し出すことのできる鏡が設けられており、施術者と被施術者が、ヘアカットやヘアパーマ後の被施術者の頭髪の状態の確認やヘアスタイル等のデザインのコンサルティングなどを行なうようにしている。
理美容院向けまた一般で使用する鏡では、前記上半身を映し出す鏡の代わりまた前記鏡と併用して使用する鏡など様々な鏡がある。
【０００３】
従来の鏡として、特許文献１の実用新案登録第３１２８２２３号の考案は、照明付き卓上鏡であるが、本考案によれば、ベース部材１０の装着部に鏡１１を装着し、この鏡１１を、ベース部材１０と鏡枠１２とによって挟み込んで保持されている鏡があり、被施術者の顔を満遍なく照らすことができる照明付き卓上鏡が開示されている。
【０００４】
前記鏡は、該鏡が設けられるスタンド２７が、ベース部材１０の裏面における左右方向の中央で、かつ上下方向のほぼ中央に配置された受け部２８によって揺動可能に支持された脚板３０と、ベース部材１０の裏面における左右方向の中央で、かつ上下方向の下端近傍に配置された受け部３１によって揺動可能に支持された支持板３２とを有している。
【０００５】
支持板３２の先端側（図２（ｂ）中の右側）における上面には、凹凸３３が形成されており、この凹凸３３に、脚板３０の先端（下端）を係合させることで、スタンド２７を構成し、ベース部材１０の下端縁と、支持板３２の先端とを、机上等の載置面Ｓに載置することで、照明付き卓上鏡１全体を載置面Ｓ上にセットすることができるようになっている。従って鏡の角度を変える場合は、凹凸３３に対する脚板３０の先端の係合位置を変更することで、載置面Ｓに対するベース部材１０の角度、ひいては鏡１１の角度を調整することができるようになっている。
【０００６】
また別の手段として、スタンド２７に代えて、「コ」字形に形成されるスタンド４６ を設け、該スタンド４６に対して前記ベース部材１０を軸回転させることにより、該ベース部材１０を任意の角度に角度調整して使用する角度に適宜変更して使用できるようになっている。
【０００７】
また特許文献２の特開２００６-２９７００２号の発明では、理美容院などで施術者が施術した被施術者の頭髪の状態またスタイルなどを確認するために、被施術者の後頭部位置側に別の鏡をもって被施術者の頭髪の状態を確認するようにしている。
【０００８】
この発明では、理美容院などに設置される鏡の反射を利用して、正面の鏡では見えない部分を簡単に確認する為のスタンド式の鏡が提供され、鏡に複数の支点を持つアームを設け、高さ調整付のスタンドと組み合わせされた鏡装置が開示され、キャスターなどで被施術者の後ろ側に位置させスタンド式の鏡が開示されている。
【先行技術文献】
【特許文献】
【０００９】
【特許文献１】実用新案登録第３１２８２２３号
【特許文献２】特開２００６-２９７００２号
【考案の概要】
【考案が解決しようとする課題】
【００１０】
ところで、特許文献１の考案にあっては、鏡を使用する角度に適宜変化させることができるものの、凹凸に施されている支持板と該支持板に係止する脚板が必要となり構造が複雑になる。
また鏡を移動させる場合は前記支持板と脚板が付いたままとなり邪魔になる。
【００１１】
また再度鏡を使用する角度に設定する場合は、せっかく調整した角度が変わっているため再度支持板と脚板との係合を調整しなければならないため調整に時間が掛かる。
また持ち運びには前記支持板と脚板が邪魔となっていた。
【００１２】
また特許文献２の発明にあっては、理美容院などで施術者が施術した被施術者の頭髪の状態またスタイルなどを確認するために、被施術者の後頭部位置側に複数の支点を持つアームを設け、高さ調整付のスタンド式の鏡を移動させて被施術者の頭髪の状態を確認するようにしているが、この発明では鏡取付アームやスタンドまた移動装置など構造が複雑なばかりでなくコストも高いものとなっていた。
【００１３】
以上のことから、本考案は前記した課題を解決せんとするもので、その目的とするところは、被施術者の上半身を映すために鏡の角度を簡易に調整でき、かつ、鏡のみを持ち運びでき、また、被施術者への頭髪のカットやセッティングの処理の後の頭髪の状態を後ろから映し出し簡易に確認でき、さらに、簡易な構造で構成されているためコストの掛からない理美容院用卓上鏡を提供せんとするにある。
【課題を解決するための手段】
【００１４】
本考案の理美容院用卓上鏡は、前記目的を達成せんとするもので、請求項１の手段は、
基板１と、該基板１に立設する支持板２と、該支持板２の先端部に設けられる係止棒３と、鏡取付板４ａに取り付けられる鏡４と、前記鏡取付板４ａの裏面に設けられるＬ形断面形状をなすブラケット５と、該ブラケット５の鏡取付板４ａ側に設けられるマグネット６とから構成し、前記ブラケット５に取り付けられている前記マグネット６が前記支持板２に設けられている係止棒３に磁力によって吸着されて係止されることを特徴とする。
【００１５】
請求項２の手段は、請求項１において前記基板１の上面にフェルトやゴム等による滑り止めが施されていることを特徴とする。
【考案の効果】
【００１６】
本考案の理美容用卓上鏡は、鏡を別体の基板にマグネットで簡単に係止し、かつ簡単に該基板から取り外して持ち運びできるようになっているため、頭髪のカットやセッティングを行っている時は前記基板に係止しておき、この状態で被施術者の上半身を映して施術者は被施術者の頭髪のカットやセットを行うことができる。
【００１７】
係止状態はマグネットで行っているため鏡の下側を前後に移動させるだけで簡単に鏡の角度を変更させることができ、被施術者の身長により上半身が映し出される位置で係止させることがきるようになっている。また、基板の上面にフェルトやゴム等による滑り止めを施すことにより、より鏡の角度を係止する力を高めることができる。
【００１８】
また、鏡は基板にマグネットのみで係止されているため、簡単に鏡のみを持ち運びでき、被施術者への頭髪のカットやセッティングの処理の後の頭髪の状態を後ろから映し出し、前面に載置される鏡の中で簡易に確認できるようになっているため、別体の鏡装置を移動させて被施術者の頭髪の状態を確認する必要もない。
さらには、基板にマグネットが設けられる鏡のみの構造で卓上鏡が形成できるためコストの掛からない理美容院用卓上鏡を提供することができる。
【図面の簡単な説明】
【００１９】
【図１】本考案に係る理美容用卓上鏡を示す斜視図である。
【図２】本考案に係る理美容用卓上鏡を傾斜させた状態の側面図である。
【図３】本考案に係る理美容用卓上鏡の起立状態を示す側面図である。
【図４】本考案に係る理美容用卓上鏡の起立状態を示す背面図である。
【考案を実施するための形態】
【００２０】
以下、本考案に係る理美容用卓上鏡の実施例を図１〜図４とともに説明する。
図１は本考案に係る理美容用卓上鏡を分解した状態を示す斜視図、図２は本考案に係る理美容用卓上鏡を傾斜させた状態の側面図、図３は本考案に係る理美容用卓上鏡の起立状態を示す側面図、図４は本考案に係る理美容用卓上鏡の起立状態を示す背面図である。
【００２１】
１は基板であり、該基板の上面はフェルトやゴムなどでコーティングされ、滑り止めが施されている。
２は前記基板１に立設状態で固定された支持板であり、該支持板２は前記基板に取り付けられる基板取付部２ａと、該基板取付部２ａの一端から垂直方向に延長された立設部２ｂとで構成されている。
３は前記支持板２の先端に前記基板１と平行に取り付けられた係止棒である。
【００２２】
４は鏡であり、該鏡４は鏡取付板４ａに取り付けられている。
５は前記鏡取付板４ａの裏面に設けられるＬ形断面形状を成すブラケットであり、Ｌ形断面形状の一辺が鏡取付板４ａ側に取り付けられ、他辺が前記基板取付部２ａに立設する立設部２ｂ側に突出するようにＬ形断面形状を成すブラケット５が逆付けで設けられている。
該ブラケット５の鏡取付板４ａ側にはマグネット６が取り付けられ、該マグネット６によって前記支持板２に設けられている係止棒３が磁力で吸着されて係止される。
【００２３】
以上の構成により、理美容院等で被施術者が頭髪のカットやセットなどの施術を受ける際は、前記卓上鏡を被施術者の前面に位置させて被施術者の上半身が映し出される位置で係止するが、その際に前記鏡４の下方部を前後にスライドさせると鏡４の裏面側に設けられているマグネット６が前記支持板２に設けられる係止棒３に磁力にて吸着して鏡４は該支持板２から離れることなく回転し、被施術者の上半身が映し出される位置でスライドを停止させると鏡４は適宜角度で前記マグネット６が前記係止棒３に係止され固定させる。
従って、該鏡４は鏡取付板４ａの下方部を前後にスライドさせるだけで鏡４の角度を調整することができる。
【００２４】
また被施術者へのカットやセットが終了すると、その頭髪の仕上がり状態を確認するため、被施術者の後頭部を鏡４で映し出し、映し出された後頭部の頭髪の状態を前面のメイン鏡（図示せず）で確認するが、その際にも、マグネット６で係止されている前記鏡４を簡単に取り外して被施術者の後頭部位置へ持ち運び被施術者の後頭部を映し出し、被施術者はその状態を確認することができる。
【００２５】
前記したごとく、この種の卓上鏡としては簡易な構造となっているためコストも安価で簡易に組み立てることができる。
以上のように、本考案の理美容用卓上鏡は、被施術者のカットやセットに被施術者の上半身を映し出す際に簡易に角度調整ができ、また被施術者の頭髪の状態を確認するために簡易に被施術者の後頭部位置へ移動できるようになっている。
【符号の説明】
【００２６】
１          基板
２          支持板
２ａ        基板取付部
２ｂ        立設部
３          係止棒
４          鏡
４ａ        鏡取付板
５          ブラケット
６          マグネット
【図１】
0003180090.tif 000003
【図２】
0003180090.tif 000004
【図３】
0003180090.tif 000005
【図４】
0003180090.tif 000006
【手続補正書】
【提出日】平成24年10月4日(2012.10.4)
【手続補正１】
【補正対象書類名】実用新案登録請求の範囲
【補正対象項目名】請求項２
【補正方法】変更
【補正の内容】
【請求項２】
前記基板１の上面にフェルトやゴム等による滑り止めが施されていることを特徴とする請求項１記載の理美容用卓上鏡。